(57)【要約】【課題】防滑性能及び履き心地に優れたゴルフ靴の提供。【解決手段】ゴルフ靴は、台座を有するアウトソール１０と、この台座に対して着脱自在であり合成樹脂又はゴムからなるスパイク１２とを備えている。アウトソール１０の底面の、長さ方向においてトウサイドの端１４からの距離が長さＬの１／５以上１／２以下であり、幅方向においてインサイドの端３４からの距離が幅の１／３以下であるゾーンＺ１には、台座が存在しない。このゾーンＺ１には、高い突起１８ａが存在する。アウトソール１０の底面の、長さ方向においてトウサイドの端１４からの距離が長さＬの１／５以上１／２以下であり、幅方向においてアウトサイドの端３６からの距離が幅の１／３以下であるゾーンＺ２にも、台座が存在しない。このゾーンＺ２には、高い突起１８ａが存在する。【選択図】図２
2013192790.tif 000002
【特許請求の範囲】
【請求項１】
台座を有するアウトソールと、この台座に対して着脱自在であり合成樹脂又はゴムからなるスパイクとを備えており、
上記アウトソールの底面の、長さ方向においてトウサイドの端からの距離が長さの１／５以上１／２以下であり、幅方向においてインサイドの端からの距離が幅の１／３以下であるゾーンに、上記台座が存在しないゴルフ靴。
【請求項２】
上記アウトソールの底面の、長さ方向においてトウサイドの端からの距離が長さの１／５以上１／２以下であり、幅方向においてアウトサイドの端からの距離が幅の１／３以下であるゾーンに、上記台座が存在しない請求項１に記載のゴルフ靴。
【請求項３】
上記アウトソールが、その底面の、長さ方向においてトウサイドの端からの距離が長さの１／５以上１／２以下であり、幅方向においてインサイドの端からの距離が幅の１／３以下であるゾーンに、突起を有する請求項１又は２に記載のゴルフ靴。
【請求項４】
上記アウトソールが、その底面の、長さ方向においてトウサイドの端からの距離が長さの１／５以上１／２以下であり、幅方向においてアウトサイドの端からの距離が幅の１／３以下であるゾーンに、突起を有する請求項１から３のいずれかに記載のゴルフ靴。
【請求項５】
上記アウトソールが、その底面の、長さ方向においてトウサイドの端からの距離が長さの１／５以下であるゾーンに、上記台座を有する請求項１から４のいずれかに記載のゴルフ靴。
【請求項６】
上記アウトソールが、その底面の、長さ方向においてトウサイドの端からの距離が長さの１／２以上であるゾーンに、上記台座を有する請求項１から５のいずれかに記載のゴルフ靴。
【請求項７】
上記突起の材質がゴム又は合成樹脂である３又は４に記載のゴルフ靴。
【請求項８】
上記突起が、主部と、この主部に接合されており接地面を形成する補強部とを備えており、上記主部の材質がゴム又は合成樹脂であり、上記補強部の材質が金属又はセラミックである請求項３又は４に記載のゴルフ靴。
【発明の詳細な説明】
【技術分野】
【０００１】
本発明は、ゴルフ靴に関する。詳細には、本発明は、ゴルフ靴のソールの改良に関する。
【背景技術】
【０００２】
ゴルファーがゴルフボールを打撃するとき、左右の爪先を結ぶ線が目標方向とほぼ平行となるようにアドレスする。右利きのゴルファーのアドレスでは、左足が目標方向前側に位置し、右足が目標方向後側に位置する。アドレスでは、ゴルフクラブのヘッドはゴルフボールの近くに位置する。この状態からゴルファーはテイクバックを開始し、ヘッドを後へ、次いで上方へと振り上げる。最もヘッドが振り上げられた位置がトップ位置である。トップ位置からダウンスイングが開始される。ダウンスイングの開始は、「切り返し」と称されている。切り返しの後、ヘッドが振り下ろされてヘッドがゴルフボールとインパクトする。インパクト後、ゴルファーはゴルフクラブを前方へ、次いで上方へと振り抜き、フィニッシュを迎える。
【０００３】
右利きのゴルファーは、トップ位置からフィニッシュにかけて、左足を軸としてボディターンを行う。同時にゴルファーは、右足で地面を蹴ってその力をゴルフボールに伝える。右利きのゴルファーは、左足を軸足として使い、右足を蹴足として使う。左利きゴルファーの場合は、右足を軸足として使い、左足を蹴足として使う。
【０００４】
軸足には、切り返しの前後において、大きな力がかかる。この力によって、軸足の靴が地面とスリップを起こすことがある。スリップが起こると、スイングフォームが乱れてミスショットが発生する。
【０００５】
蹴足には、インパクトの前後において、大きな力がかかる。この力によって、蹴足の靴が地面とスリップを起こすことがある。スリップが起こると、スイングフォームが乱れてミスショットが発生する。スリップはさらに、飛距離の低下を招く。
【０００６】
底面に金属又はセラミックからなるスパイクピンを備えたゴルフ靴が存在する。スパイクピンの配置に関する提案が、特開平９−３２７３０４号公報においてなされている。このスパイクピンは、スリップを防止する。しかし、このゴルフ靴では、スパイクピンがグリーン上の芝生、クラブハウスの床、ゴルフコース中に設けられた歩行用通路の路面等を傷める。スパイクピンを備えたゴルフ靴の使用を禁止しているゴルフ場が、多い。スパイクピンを備えたゴルフ靴では下からの突き上げ感があり、ゴルファーにとって履き心地のよいものではない。突き上げ感は、ゴルファーの疲労感を増長する。スパイクピンを備えたゴルフ靴は、近年ではあまり用いられていない。
【０００７】
スパイクピンに代えて合成樹脂又はゴムからなるスパイクが底面に設けられたゴルフ靴が、普及している。このスパイクには、スクリューが取り付けられている。一方、このゴルフ靴のアウトソールは、台座を備えている。この台座にスクリューが螺入されることにより、スパイクがアウトソールに装着される。このスパイクは、着脱自在である。
【先行技術文献】
【特許文献】
【０００８】
【特許文献１】特開平９−３２７３０４号公報
【発明の概要】
【発明が解決しようとする課題】
【０００９】
合成樹脂又はゴムからなるスパイクを有するゴルフ靴でも、突き上げ感の解消は不十分である。本発明の目的は、防滑性能に優れ、かつ履き心地のよいゴルフ靴の提供にある。
【課題を解決するための手段】
【００１０】
本発明に係るゴルフ靴は、台座を有するアウトソールと、この台座に対して着脱自在であり合成樹脂又はゴムからなるスパイクとを備える。このアウトソールの底面の、長さ方向においてトウサイドの端からの距離が長さの１／５以上１／２以下であり、幅方向においてインサイドの端からの距離が幅の１／３以下であるゾーンに、台座は存在しない。
【００１１】
好ましくは、このアウトソールの底面の、長さ方向においてトウサイドの端からの距離が長さの１／５以上１／２以下であり、幅方向においてアウトサイドの端からの距離が幅の１／３以下であるゾーンには、台座は存在しない。
【００１２】
好ましくは、アウトソールは、その底面の、長さ方向においてトウサイドの端からの距離が長さの１／５以上１／２以下以下であり、幅方向においてインサイドの端からの距離が幅の１／３以下であるゾーンに、突起を有する。
【００１３】
好ましくは、アウトソールは、その底面の、長さ方向においてトウサイドの端からの距離が長さの１／５以上１／２以下であり、幅方向においてアウトサイドの端からの距離が幅の１／３以下であるゾーンに、突起を有する。
【００１４】
好ましくは、アウトソールは、その底面の、長さ方向においてトウサイドの端からの距離が長さの１／５以下であるゾーンに、台座を有する。
【００１５】
好ましくは、アウトソールは、その底面の、長さ方向においてトウサイドの端からの距離が長さの１／２以上であるゾーンに、台座を有する。
【００１６】
好ましくは、突起の材質は、ゴム又は合成樹脂である。
【００１７】
突起が、主部と、この主部と接合されており接地面を形成する補強部とを備えてもよい。好ましくは、主部の材質はゴム又は合成樹脂であり、補強部の材質は金属又はセラミックである。
【発明の効果】
【００１８】
本発明に係るゴルフ靴では、スパイクによってスリップが抑制される。このゴルフ靴は、防滑性能に優れる。このゴルフ靴のアウトソールの底面の所定のゾーンには、スパイクのための台座が存在しない。このゴルフ靴を着用したゴルファーは、突き上げ感を感じにくい。このゴルフ靴は、履き心地に優れる。
【図面の簡単な説明】
【００１９】
【図１】図１は、本発明の一実施形態に係るゴルフ靴が示された側面図である。
【図２】図２は、図１のゴルフ靴が示された底面図である。
【図３】図３は、図１のゴルフ靴のスパイクが示された底面図である。
【図４】図４は、図１のゴルフ靴の一部が示された分解断面図である。
【図５】図５は、本発明の他の実施形態に係るゴルフ靴の一部が示された断面図である。
【発明を実施するための形態】
【００２０】
以下、適宜図面が参照されつつ、好ましい実施形態に基づいて本発明が詳細に説明される。
【００２１】
図１に示されたこのゴルフ靴２は、アッパー４及びソール６を備えている。ソール６は、インソール（図示されず）、ミッドソール８及びアウトソール１０からなる。
【００２２】
アッパー４には、既知の材料が用いられる。天然皮革、合成皮革、人工皮革、織布等が、アッパー４に用いられうる。アッパー４の内面に、内材が貼り付けられてもよい。典型的な内材は、織布である。内材として、透湿防水材料が用いられてもよい。典型的な透湿防水材料は、ゴアテックス（登録商標）からなるブーティである。
【００２３】
ミッドソール８は、発泡体からなる。好ましくは、ミッドソール８は、多数の独立気泡を含む。着地時に、ミッドソール８は圧縮変形を起こす。この圧縮変形により、衝撃が吸収される。ミッドソール８における好ましい基材ポリマーは、エチレン−酢酸ビニル共重合体（ＥＶＡ）である。衝撃吸収性の観点から、ミッドソール８の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００２４】
アウトソール１０は、ミッドソール８の下側に位置している。アウトソール１０は、ミッドソール８と接合されている。接合は、接着剤によって達成されうる。図２に示されるように、このゴルフ靴２は、スパイク１２をさらに備えている。
【００２５】
図２において、符号Ｘで示されているのはアウトソールの幅方向であり、符号Ｙで示されているのはアウトソールの長さ方向である。図２において、右側がインサイドであり、左側がアウトサイドであり、上側がトウサイドであり、下型がヒールサイドである。図２において符号Ｌ１で示されているのは、長さ線である。長さ線Ｌ１は、底面視において、アウトソール１０の輪郭内に画かれうる最長の線である。長さ線Ｌ１は、トウサイドの端１４からヒールサイドの端１６にまで至っている。長さ線Ｌ１の長さは、符号Ｌで示されている。Ｙ方向（長さ方向）は、長さ線Ｌ１の方向と一致している。Ｘ方向（幅方向）は、長さ線Ｌ１の方向と直交している。
【００２６】
このアウトソール１０は、ベース１７と、多数の突起１８と、台座２０（図４参照）とを有する。それぞれの突起１８は、ベース１７の底面２２（図１参照）から下方に突出している。突起１８は、ベース１７と一体的に成形されている。
【００２７】
ベース１７及び突起１８は、架橋ゴムからなる。好ましい基材ゴムとして、天然ゴム、イソプレンゴム、ブタジエンゴム、スチレン−ブタジエンゴム、アクリロニトリル−ブタジエンゴム及びウレタンゴムが例示される。ベース１７及び突起１８が、合成樹脂又はエラストマーからなってもよい。耐摩耗性の観点から、ベース１７及び突起１８の硬度は７０以上が好ましく、７２以上が特に好ましい。足の変形への追従性の観点から、硬度は９５以下が好ましく、９２以下が特に好ましい。硬度は、「ＪＩＳ  Ｋ  ６２５３」の規定に準拠して、タイプＡのデュロメーターにて測定される。
【００２８】
図２から明らかなように、このゴルフ靴２は、３個のスパイク１２を有する。図１に示されるように、それぞれのスパイク１２は、ベース１７の底面２２よりも下方に位置している。スパイク１２の数は、２以上が好ましく、３以上が特に好ましい。この数は、８以下が好ましく、６以下が特に好ましい。
【００２９】
図３はスパイク１２が示された拡大底面図であり、図４は図３のIV−IV線に沿った断面図である。図４には、スパイク１２と共に、プレート２４、スクリュー２６、ベース１７及び台座２０が示されている。
【００３０】
スパイク１２は、円盤２８と垂下部３０とを備えている。円盤２８と垂下部３０とは、一体的に成形されている。スパイク１２は、樹脂組成物からなる。スパイク１２に適した基材樹脂として、ポリウレタンが例示される。スパイク１２が、ゴム組成物が架橋されることによって成形されてもよい。
【００３１】
プレート２４とスクリュー２６とは、一体的に成形されている。プレート２４及びスクリュー２６は、金属又は硬質合成樹脂からなる。プレート２４は、スパイク１２と接合されている。スクリュー２６の外周面には、雄ネジが螺刻されている。
【００３２】
台座２０は、ベース１７に埋設されている。台座２０は、金属又は硬質合成樹脂からなる。台座２０は、スパイク１２よりも硬質である。台座２０は、穴３２を有している。この穴３２の内周面には、雌ネジが螺刻されている。スクリュー２６がこの穴３２に螺入されることにより、スパイク１２がアウトソール１０に取り付けられる。このスパイク１２は、アウトソール１０に対して着脱自在である。
【００３３】
この実施形態では、垂下部３０の数は６である。垂下部３０の数は、４以上１０以下が好ましい。それぞれの垂下部３０は、円盤２８の周縁から下方に垂下している。この垂下部３０は、芝生に突き刺さる。この突き刺さりにより、芝生に対するゴルフ靴２のスリップが防止される。
【００３４】
垂下部３０の硬度は、７５以上９８以下が好ましい。この硬度が７５以上である垂下部３０により、ゴルフ靴２のスリップが防止される。この観点から、この硬度は８０以上が特に好ましい。この硬度が９８以下である垂下部３０は、芝生を傷つけにくい。この観点から、この硬度は９５以下が特に好ましい。硬度は、「ＪＩＳ  Ｋ  ６２５３」の規定に準拠して、タイプＡのデュロメーターにて測定される。
【００３５】
垂下部３０の高さＨは、１ｍｍ以上６ｍｍ以下が好ましい。高さＨが１ｍｍ以上である垂下部３０により、スリップが十分に抑制される。この観点から、高さＨは２ｍｍ以上が特に好ましい。高さＨが６ｍｍ以下である垂下部３０は、芝生を傷つけにくい。この観点から、高さＨは４ｍｍ以下が特に好ましい。スパイク１２の直径Ｄｉは、１５ｍｍ以上が好ましく、２０ｍｍ以上が特に好ましい。直径Ｄｉは、３０ｍｍ以下が好ましい。
【００３６】
図２において符号Ｌ２で示されているのは、アウトソール１０のインサイドの端３４を通過し、長さ線Ｌ１に平行な線である。符号Ｌ３で示されているのは、アウトソール１０のアウトサイドの端３６を通過し、長さ線Ｌ１に平行な線である。線Ｌ２と線Ｌ３との距離Ｗは、アウトソール１０の幅である。図２において符号Ｌ４で示されているのは、長さ線Ｌ１と平行であり、かつインサイドの端３４からの距離が幅Ｗの１／３である線である。符号Ｌ５で示されているのは、長さ線Ｌ１と平行であり、かつアウトサイドの端３６からの距離が幅Ｗの１／３である線である。
【００３７】
図２において符号Ｌ６で示されているのは、長さ線Ｌ１と直交し、かつトウサイドの端１４からの距離が長さＬの１／５である線である。符号Ｌ７で示されているのは、長さ線Ｌ１と直交し、かつトウサイドの端１４からの距離が長さＬの１／２である線である。
【００３８】
アウトソール１０の底面２２のうち、線Ｌ２、Ｌ４、Ｌ６及びＬ７に囲まれたゾーンＺ１には、第一中足骨骨頭に相当する箇所が含まれる。アウトソール１０の底面２２のうち、線Ｌ３、Ｌ５、Ｌ６及びＬ７に囲まれたゾーンＺ２には、第五中足骨骨頭に相当する箇所が含まれる。図２から明らかなように、ゾーンＺ１及びゾーンＺ２には、スパイク１２は存在しない。換言すれば、このゾーンＺ１及びゾーンＺ２には、スパイク１２のための台座２０が存在しない。本発明では、その中心点がゾーンＺ１に含まれる台座２０はゾーンＺ１に含まれる台座２０であり、その中心点がゾーンＺ１に含まれない台座２０はゾーンＺ１に含まれない台座２０である。その中心点がゾーンＺ２に含まれる台座２０はゾーンＺ２に含まれる台座２０であり、その中心点がゾーンＺ２に含まれない台座２０はゾーンＺ２に含まれない台座２０である。
【００３９】
第一中足骨骨頭は、下方に突出した形状を有する。第五中足骨骨頭は、下方に突出した形状を有する。本発明者が得た知見によれば、ヒトが強く突き上げ感を感じるのは、この第一中足骨骨頭の周辺及び第五中足骨骨頭の周辺である。本発明者が得た知見によれば、硬質な台座２０の存在が、突き上げ感の原因である。本発明に係るゴルフ靴２では、ゾーンＺ１及びＺ２に、台座２０が存在しない。換言すれば、第一中足骨骨頭及び第五中足骨骨頭を、台座２０が押圧しない。このゴルフ靴２を着用したゴルファーは、突き上げ感をあまり感じない。このゴルフ靴２は、履き心地に優れる。このゴルフ靴２により、ゴルファーの疲労感が軽減される。
【００４０】
ゾーンＺ１及びＺ２には、他の突起１８よりも高い複数の突起１８ａが配置されている。これらの突起１８ａにより、ゴルフ靴２のスリップが抑制される。防滑性能の観点から、それぞれの突起１８ａの、底面２２からの高さは、２ｍｍ以上が好ましく、４ｍｍ以上が特に好ましい。この高さは、８ｍｍ以下が好ましい。
【００４１】
アウトソール１０の底面２２のうち、線Ｌ６よりもトウサイドには、１つのスパイク１２が存在している。このスパイク１２は、スイング中のゴルフ靴２のスリップを抑制する。線Ｌ６よりもトウサイドに存在するスパイク１２の数（すなわち台座の数）は、１以上４以下が好ましい。
【００４２】
アウトソール１０の底面２２のうち、線Ｌ７よりもヒールサイドには、２つのスパイク１２が存在している。これらのスパイク１２は、ゴルファーがスロープを歩行するときのスリップを抑制する。線Ｌ７よりもヒールサイドに存在するスパイク１２の数（すなわち台座の数）は、１以上６以下が好ましい。
【００４３】
ゴルフ靴が、ゾーンＺ１に台座が存在せず、ゾーンＺ２に台座が存在するアウトソールを備えてもよい。本発明者が得た知見によれば、ヒトが特に強く突き上げ感を感じるのは、第一中足骨骨頭の周辺である。ゾーンＺ１に台座が存在しないゴルフ靴を着用したゴルファーは、突き上げ感をあまり感じない。
【００４４】
図５は、本発明の他の実施形態に係るゴルフ靴の一部が示された断面図である。図５には、アウトソールのベース３８と突起４０とが示されている。突起４０は、主部４２と補強部４４とを備えている。主部４２は、ベース３８と一体的に成形されている。従って、主部４２の材質はベース３８の材質と同じである。主部４２及びベース３８の典型的な材質として、ゴム及び合成樹脂が例示される。補強部４４は、主部４２に接合されている。補強部４４は、突起４０の接地面を形成する。補強部４４は、主部４２に比べて耐摩耗性に優れた材質からなる。補強部４４の典型的な材質として、金属及びセラミックが例示される。
【００４５】
前述の通り、スパイクはアウトソールに対して着脱自在である。スパイクの摩耗が進行したとき、このスパイクは新品のスパイクに交換されうる。一方、突起４０はベース３８と一体なので、交換され得ない。補強部４４を有する突起４０は、摩耗しにくい。このゴルフ靴では、突起４０の交換の必要がない。このゴルフ靴は、長期間の使用に耐えうる。
【実施例】
【００４６】
以下、実施例によって本発明の効果が明らかにされるが、この実施例の記載に基づいて本発明が限定的に解釈されるべきではない。
【００４７】
［実施例１］
ポリブタジエンが基材ゴムであるゴム組成物を、台座がインサートされたモールドに投入した。このゴム組成物を加圧しかつ加熱して、ベース、突起及び台座を有するアウトソールを成形した。このアウトソールに、アッパー、ミッドソール及びインソールをアッセンブリーした。このアウトソールにさらに、３個のスパイクを装着し、図１−４に示されたゴルフ靴を得た。このゴルフ靴では、ゾーンＺ１及びＺ２に座台は存在しない。このゴルフ靴では、ゾーンＺ１及びＺ２に、高い突起が存在する。
【００４８】
［実施例２］
ゾーンＺ２に、突起に代えて座台及びスパイクを設けた他は実施例１と同様にして、実施例２のゴルフ靴を得た。
【００４９】
［比較例１］
ゾーンＺ１及びＺ２に、突起に代えて座台及びスパイクを設けた他は実施例１と同様にして、比較例１のゴルフ靴を得た。
【００５０】
［実施例３］
ゾーンＺ１及びＺ２に突起を形成しなかった他は実施例１と同様にして、実施例３のゴルフ靴を得た。
【００５１】
［履き心地］
ゴルフ靴をゴルファーに着用させ、歩行させた。このゴルファーに、履き心地について、格付けさせた。この結果が、下記の表１に示されている。数値が大きいほど、突き上げ感が少ない。
【００５２】
［疲労感］
ゴルフ靴をゴルファーに着用させ、ゴルフコースにて９ホールをラウンドさせた。このラウンドの翌日は休養させ、このラウンドの翌々日に他のゴルフ靴にてゴルファーにラウンドさせた。このような、ラウンドと休養とのサイクルを繰り返し、ゴルファーに、疲労感について格付けさせた。この結果が、下記の表１に示されている。数値が大きいほど、疲労感が少ない。
【００５３】
［防滑性能］
ゴルフ靴を、ゴルファーに着用させた。このゴルファーに、水に濡れた人工芝の上で、ドライバーにてゴルフボールを打撃させた。このゴルファーに、防滑性能について、格付けさせた。この結果が、下記の表１に示されている。数値が大きいほど、防滑性能に優れている。
【００５４】
【表１】
2013192790.tif 000003
【００５５】
表１に示されるように、実施例のゴルフ靴は履き心地及び防滑性能に優れる。この評価結果から、本発明の優位性は明らかである。
【産業上の利用可能性】
【００５６】
本発明に係るゴルフ靴は、ゴルフ場でのプレーのときに着用されうる。このゴルフ靴は、ドライビングレンジでのプラクティスのときにも着用されうる。
【符号の説明】
【００５７】
２・・・ゴルフ靴
４・・・アッパー
８・・・ミッドソール
１０・・・アウトソール
１２・・・スパイク
１７、３８・・・ベース
１８、１８ａ、４０・・・突起
２０・・・台座
２４・・・プレート
２６・・・スクリュー
４２・・・主部
４４・・・補強部
【図１】
2013192790.tif 000004
【図２】
2013192790.tif 000005
【図３】
2013192790.tif 000006
【図４】
2013192790.tif 000007
【図５】
2013192790.tif 000008